(57)【要約】【課題】  この発明は、ＴＤＭＡ通信親局に妨害波の存在を探知されにくく、より継続的に妨害波を送信することができる送信装置を得ることを目的とする。【解決手段】  周波数分析器２により受信した通信波の出現周波数を分析し、通信波検出器３により、出現周波数の出現時間が規定の間隔に分割されたタイムスロットに割り当てられているときに、その割り当てられた出現周波数の通信波を時分割多元接続方式の通信波と判定する。タイムスロット分析器４により通信波のタイムスロット毎の出現開始及び終了時刻を測定し、方位測定器５により通信波の到来方位を測定し、タイミング制御器６により同一の到来方位の頻度が最も高いものが親局の使用するタイムスロットであると判定し、送信機７により次の周期にて親局が使用するタイムスロットに妨害波を送信する。【選択図】        図１
2011211374.tif 000002
【特許請求の範囲】
【請求項１】
時分割多元接続方式の通信波を含む通信波を受信する受信機と、
この受信機により受信された通信波の出現周波数を分析する周波数分析器と、
この周波数分析器の出現周波数毎に出現時間を計測し、その内、出現周波数の出現時間が規定の間隔に分割されたタイムスロットに割り当てられているときに、その割り当てられた出現周波数の通信波を時分割多元接続方式の通信波と判定する通信波検出器と、
この通信波検出器により時分割多元接続方式の通信波と判定された通信波のタイムスロット毎の出現開始及び終了時刻を測定するタイムスロット分析器と、
時分割多元接続方式の通信波と判定された通信波の到来方位を測定する方位測定器と、
時分割多元接続方式の通信波のタイムスロットのうち、同一の到来方位の頻度が最も高いものが親局の使用するタイムスロットであると判定し、次の周期にて親局が使用するタイムスロットの出現開始及び終了時刻を予測するタイミング制御器と、
このタイミング制御器で予測した親局が使用するタイムスロットに妨害波を送信する送信機と、を備えた送信装置。
【請求項２】
時分割多元接続方式の通信波を含む通信波を受信する受信機と、
この受信機により受信された通信波の出現周波数を分析する周波数分析器と、
この周波数分析器の出現周波数毎に出現時間を計測し、その内、出現周波数の出現時間が規定の間隔に分割されたタイムスロットに割り当てられているときに、その割り当てられた出現周波数の通信波を時分割多元接続方式の通信波と判定する通信波検出器と、
この通信波検出器により時分割多元接続方式の通信波と判定された通信波のタイムスロット毎の出現開始及び終了時刻を測定するタイムスロット分析器と、
時分割多元接続方式の通信波と判定された通信波の信号レベルを測定するレベル測定器と、
時分割多元接続方式の通信波のタイムスロットのうち、同一の信号レベルの頻度が最も高いものが親局の使用するタイムスロットであると判定し、次の周期にて親局が使用するタイムスロットの出現開始及び終了時刻を予測するタイミング制御器と、
このタイミング制御器で予測した親局が使用するタイムスロットに妨害波を送信する送信機と、を備えた送信装置。
【請求項３】
時分割多元接続方式の通信波を含む通信波を受信する受信機と、
この受信機により受信された通信波の出現周波数を分析する周波数分析器と、
この周波数分析器の出現周波数毎に出現時間を計測し、その内、出現周波数の出現時間が規定の間隔に分割されたタイムスロットに割り当てられているときに、その割り当てられた出現周波数の通信波を時分割多元接続方式の通信波と判定する通信波検出器と、
この通信波検出器により時分割多元接続方式の通信波と判定された通信波のタイムスロット毎の出現開始及び終了時刻を測定するタイムスロット分析器と、
時分割多元接続方式の通信波と判定された通信波の到来方位を測定する方位測定器と、
時分割多元接続方式の通信波と判定された通信波の信号レベルを測定するレベル測定器と、
時分割多元接続方式の通信波のタイムスロットのうち、同一の到来方位かつ同一の信号レベルである頻度が最も高いものが親局の使用するタイムスロットであると判定し、次の周期にて親局が使用するタイムスロットの出現開始及び終了時刻を予測するタイミング制御器と、
このタイミング制御器で予測した親局が使用するタイムスロットに妨害波を送信する送信機と、を備えた送信装置。
【発明の詳細な説明】
【技術分野】
【０００１】
この発明は、送信装置に係り、特にＴＤＭＡ（時分割多元接続）方式を使用する敵性波の通信を妨害する送信装置に関するものである。
【背景技術】
【０００２】
ＴＤＭＡ方式の通信を妨害する従来の送信装置として特許文献１に示すものが知られている。これは、ＴＤＭＡ方式の通信波を含む電波を受信し、通信波の出現周波数を分析し、出現周波数毎に出現時間を計測し、その内、出現周波数の出現時間が規定の間隔に分割されたタイムスロットに割り当てられているときに、その割り当てられた出現周波数の通信波をＴＤＭＡ方式の通信波と判定し、当該出現周波数の妨害波を送信するものである。
【先行技術文献】
【特許文献】
【０００３】
【特許文献１】特開２０００−２９５２０３号公報
【発明の概要】
【発明が解決しようとする課題】
【０００４】
特許文献１に開示された送信装置は、ＴＤＭＡ方式の通信波の出現周波数を判定し、当該出現周波数に妨害波を送信する方法を用いる、対象となる通信波に対して常に妨害波を送信していることから、妨害波の存在を探知されやすく、ＴＤＭＡ通信を制御する局（親局）が妨害波の存在を検出した場合、使用周波数を変更するなどして、妨害波を継続して送信することができなくなるという問題点があった。
【０００５】
この発明は、上記のような問題点を解決するためになされたもので、ＴＤＭＡ通信親局に妨害波の存在を探知されにくく、より継続的に妨害波を送信することができる送信装置を得ることを目的とする。
【課題を解決するための手段】
【０００６】
この発明の請求項１に係る送信装置は、時分割多元接続方式の通信波を含む通信波を受信する受信機と、この受信機により受信された通信波の出現周波数を分析する周波数分析器と、この周波数分析器の出現周波数毎に出現時間を計測し、その内、出現周波数の出現時間が規定の間隔に分割されたタイムスロットに割り当てられているときに、その割り当てられた出現周波数の通信波を時分割多元接続方式の通信波と判定する通信波検出器と、この通信波検出器により時分割多元接続方式の通信波と判定された通信波のタイムスロット毎の出現開始及び終了時刻を測定するタイムスロット分析器と、時分割多元接続方式の通信波と判定された通信波の到来方位を測定する方位測定器と、時分割多元接続方式の通信波のタイムスロットのうち、同一の到来方位の頻度が最も高いものが親局の使用するタイムスロットであると判定し、次の周期にて親局が使用するタイムスロットの出現開始及び終了時刻を予測するタイミング制御器と、このタイミング制御器で予測した親局が使用するタイムスロットに妨害波を送信する送信機とを備えたものである。
【０００７】
この発明の請求項２に係る送信装置は、時分割多元接続方式の通信波を含む通信波を受信する受信機と、この受信機により受信された通信波の出現周波数を分析する周波数分析器と、この周波数分析器の出現周波数毎に出現時間を計測し、その内、出現周波数の出現時間が規定の間隔に分割されたタイムスロットに割り当てられているときに、その割り当てられた出現周波数の通信波を時分割多元接続方式の通信波と判定する通信波検出器と、この通信波検出器により時分割多元接続方式の通信波と判定された通信波のタイムスロット毎の出現開始及び終了時刻を測定するタイムスロット分析器と、時分割多元接続方式の通信波と判定された通信波の信号レベルを測定するレベル測定器と、時分割多元接続方式の通信波のタイムスロットのうち、同一の信号レベルの頻度が最も高いものが親局の使用するタイムスロットであると判定し、次の周期にて親局が使用するタイムスロットの出現開始及び終了時刻を予測するタイミング制御器と、このタイミング制御器で予測した親局が使用するタイムスロットに妨害波を送信する送信機とを備えたものである。
【０００８】
この発明の請求項３に係る送信装置は、時分割多元接続方式の通信波を含む通信波を受信する受信機と、この受信機により受信された通信波の出現周波数を分析する周波数分析器と、この周波数分析器の出現周波数毎に出現時間を計測し、その内、出現周波数の出現時間が規定の間隔に分割されたタイムスロットに割り当てられているときに、その割り当てられた出現周波数の通信波を時分割多元接続方式の通信波と判定する通信波検出器と、この通信波検出器により時分割多元接続方式の通信波と判定された通信波のタイムスロット毎の出現開始及び終了時刻を測定するタイムスロット分析器と、時分割多元接続方式の通信波と判定された通信波の到来方位を測定する方位測定器と、時分割多元接続方式の通信波と判定された通信波の信号レベルを測定するレベル測定器と、時分割多元接続方式の通信波のタイムスロットのうち、同一の到来方位かつ同一の信号レベルである頻度が最も高いものが親局の使用するタイムスロットであると判定し、次の周期にて親局が使用するタイムスロットの出現開始及び終了時刻を予測するタイミング制御器と、このタイミング制御器で予測した親局が使用するタイムスロットに妨害波を送信する送信機とを備えたものである。
【発明の効果】
【０００９】
この発明によれば、ＴＤＭＡ方式の通信波における親局と一般の局（子局）を識別し、親局の送信に合わせて妨害波を送信することにより、妨害波の存在を探知されにくく、より継続的に妨害波を送信することができる。
【図面の簡単な説明】
【００１０】
【図１】この発明の実施の形態１に係る送信装置の構成を表す機能ブロック図である。
【図２】この発明の実施の形態２に係る送信装置の構成を表す機能ブロック図である。
【図３】この発明の実施の形態３に係る送信装置の構成を表す機能ブロック図である。
【発明を実施するための形態】
【００１１】
実施の形態１
【００１２】
この発明の実施の形態１に係る送信装置を図１により説明する。図１はこの発明の実施の形態１に係る送信装置の構成を表す機能ブロック図である。図１において、１はＴＤＭＡ方式の通信波を含む通信波を受信する受信機、２は受信された通信波の出現周波数を分析する周波数分析器、３は出現周波数毎に出現時間を計測し、その内、出現周波数の出現時間が規定の間隔に分割されたタイムスロットに割り当てられているときに、当該出現周波数の通信波をＴＤＭＡ方式の通信波と判定する通信波検出器、４は判定したＴＤＭＡ通信波を構成するタイムスロット毎の開始、終了時刻を分析するタイムスロット分析器、５は前記出現周波数の到来方位を測定する方位測定器、６はタイムスロット毎の到来方位を監視し、同一の到来方位の頻度が最も多いタイムスロットが親局の使用するタイムスロットであると判定し、次に親局が使用すると予測されるタイムスロットの開始時刻に合わせて妨害波の送信タイミングを指示するタイミング制御器、７は妨害波を送信する送信機である。
【００１３】
つぎに送信装置の動作について説明する。受信機１で空界からの通信波が捕捉されると、周波数分析器２でその通信波の周波数が分析され、出現周波数が通信波検出器３に送られる。通信波検出器３は出現周波数毎の出現時間を計測し、規定の間隔で分割されたタイムスロットに割り当てられていると認識できる所定時間だけ継続する場合に、これらの通信波をＴＤＭＡ方式の通信波であると判定し、タイムスロット分析器４に通知する。タイムスロット分析器４は通知されたＴＤＭＡ通信波の個々のタイムスロットにおける出現開始、終了時刻を測定し、タイミング制御器６に通知する。方位測定器５は、ＴＤＭＡ通信波の出現周波数の到来方位を測定し、通信波の時刻を付与して、タイミング制御器６に通知する。
【００１４】
タイミング制御器６は、タイムスロット分析器４から通知された個々のタイムスロットの出現開始終了時刻と、方位測定器５から通知された到来方位及び時刻を照合し、タイムスロット毎の到来方位を特定し、同一の到来方位の頻度が最も高いタイムスロットが、ＴＤＭＡ通信の親局の使用するタイムスロットであると判定する。これは、ＴＤＭＡ方式では、タイムスロットの同期をとるために親局は定期的にヘッダと呼ばれる同期信号を送信することから、親局の送信頻度はその他の子局の送信頻度よりも高いという特徴を利用したものである。
【００１５】
さらに、タイミング制御器６は、親局が使用すると判定した複数のタイムスロットの開始終了時刻から、親局の使用するタイムスロットの周期性を推定し、次に親局が使用するタイムスロットの開始終了時刻を予測する。これは、ＴＤＭＡ方式が複数のタイムスロットを親局及び複数の子局に割り振り、割り振られたタイムスロットで周期的に送信するという特徴により、次周期のタイムスロットの開始終了時刻が予測できるものである。次に、タイミング制御器６は、予測した親局が使用するタイムスロットの次回の開始終了時刻及び通信波検出器３で判定したＴＤＭＡ通信波が使用する周波数を送信機７に指示する。送信機７は、指示された開始、終了時刻の間、指示された周波数で妨害波を送信する。
【００１６】
以上により、妨害対象のＴＤＭＡ通信波のうち、親局の送信時にのみ、妨害波を送信することができる。親局は自らが送信する間は受信機能を停止することから、妨害の事実を把握できず、通信が確立されていると誤認識させることができる。さらに、親局が送信した通信波には妨害が施されるため子局で受信することができず、親局と子局間の通信が途絶する。これにより親局からの制御及び通話が不可能となり、結果としてＴＤＭＡ通信を遮断させることができる。
【００１７】
実施の形態２
【００１８】
実施の形態１においては、親局が使用するタイムスロットを到来方位で判定しているが、実施の形態２では、到来方位に加えて信号レベルを用いて判定する点において、実施の形態１と異なる。これは、本発明の送信装置から見て、親局と子局が同一方位上に存在する場合、親局の使用するタイムスロットを正しく識別できない問題を解決するものである。図２はこの発明の実施の形態２に係る送信装置の構成を表す機能ブロック図であり、図２に示す送信装置は、図１に示す方位測定器５に代えて、レベル測定器８を具備しているものである。
【００１９】
実施の形態１と同じ手法で、通信波検出器３によりＴＤＭＡ通信波を判定し、タイムスロット分析器４でタイムスロットの開始終了時刻を測定し、タイミング制御器６に通知する。レベル測定器８は、ＴＤＭＡ通信波の出現周波数の信号レベルを測定し、通信波の時刻を付与して、タイミング制御器６に通知する。タイミング制御器６は、タイムスロット分析器４から通知された個々のタイムスロットの開始終了時刻と、レベル測定器８から通知された信号レベル及び時刻を照合し、タイムスロット毎の信号レベルを特定し、同一の信号レベルの頻度が最も高いタイムスロットが、親局の使用するタイムスロットであると判定する。以後、実施の形態１と同様に、タイミング制御器６は、予測した親局が使用するタイムスロットの次回の開始終了時刻及び通信波検出器３で判定したＴＤＭＡ通信波が使用する周波数を送信機７に指示し、送信機７は、指示された開始、終了時刻の間、指示された周波数で妨害波を送信する。
【００２０】
以上により、レベル測定器８で測定した信号レベルに基づいて、ＴＤＭＡ通信の親局送信タイミングを特定することにより、親局と子局が同一方位上に存在する場合であっても、親局の使用するタイムスロットの識別性が向上し、その親局の送信時にのみ妨害波を送信することができる。
【００２１】
実施の形態３
【００２２】
実施の形態１では親局が使用するタイムスロットを到来方位で判定し、実施の形態２では信号レベルで判定しているが、実施の形態３は、到来方位と信号レベルの両方を用いて判定する点において、実施の形態１若しくは実施の形態２と異なる。これは、本発明の送信装置から見て、親局と子局が同一方位上、若しくは、同一の距離に存在する場合、親局の使用するタイムスロットを正しく識別できない問題を解決するものである。図３はこの発明の実施の形態３に係る送信装置の構成を表す機能ブロック図であり、図３に示す送信装置は、図１に示す方位測定器５に加えて、レベル測定器８を具備している。
【００２３】
実施の形態１若しくは実施の形態２と同じ手法で、通信波検出器３によりＴＤＭＡ通信波を判定し、タイムスロット分析器４でタイムスロットの開始終了時刻を測定し、タイミング制御器６に通知する。方位測定器５は、ＴＤＭＡ通信波の出現周波数の到来方位を測定し、通信波の時刻を付与して、タイミング制御器６に通知する。レベル測定器８は、ＴＤＭＡ通信波の出現周波数の信号レベルを測定し、通信波の時刻を付与して、タイミング制御器６に通知する。タイミング制御器６は、タイムスロット分析器４から通知された個々のタイムスロットの開始終了時刻と、方位測定器５から通知された到来方位及び時刻と、レベル測定器８から通知された信号レベル及び時刻を全て照合し、タイムスロット毎の到来方位と信号レベルを特定し、同一の到来方位かつ同一の信号レベルの頻度が最も高いタイムスロットが、親局の使用するタイムスロットであると判定する。以後、実施の形態１と同様に、タイミング制御器６は、予測した親局が使用するタイムスロットの次回の開始終了時刻及び通信波検出器３で判定したＴＤＭＡ通信波が使用する周波数を送信機７に指示し、送信機７は、指示された開始、終了時刻の間、指示された周波数で妨害波を送信する。
【００２４】
以上により、方位測定器５で測定した到来方位及びレベル測定器８で測定した信号レベルに基づいてＴＤＭＡ通信の親局送信タイミングを特定することにより、親局と子局が同一方位上で同一距離（同一信号レベル）に存在する場合を除き、親局の使用するタイムスロットの識別性を向上し、その親局の送信時にのみ妨害波を送信することができる。
【符号の説明】
【００２５】
１  受信機
２  周波数分析器
３  通信波検出器
４  タイムスロット分析器
５  方位測定器
６  タイミング制御器
７  送信機
８  レベル測定器
【図１】
2011211374.tif 000003
【図２】
2011211374.tif 000004
【図３】
2011211374.tif 000005